(57)【要約】【課題】手洗装置の機能部ケースを水受器の上面に設置するに際し、良好な外観を保持することのできる機能部ケースの設置構造を提供する。【解決手段】手洗器１２の上面の後端部に沿って左右方向に立上り形状の後壁部を、また上面の左右の側部に沿って立上り形状の前後方向の一対の側壁部２６を形成し、それらにて囲まれた収納凹部２８に機能部ケース１８を収納状態に設置する。【選択図】        図１
2006255230.tif 000002
【特許請求の範囲】
【請求項１】
手洗器等水受器の上面の後端部に沿って左右方向に延びる立上り形状の後壁部を、また該上面の左右の側部に沿って前後方向に延びる立上り形状の一対の側壁部を設けて、それらにて囲まれた収納凹部を内側に形成し、手洗器の機能部ケースを該収納凹部に収納状態に設置するようになしたことを特徴とする機能部ケースの設置構造。
【請求項２】
請求項１において、前記機能部ケースの側面に左右方向のスリットを設けて、該スリットに板状スペーサを該左右方向に位置調節可能に挿込状態に設け、該板状スペーサの位置調節にて前記機能部ケースの側面と前記側壁部との間の隙間を該板状スペーサにより閉鎖するようになしたことを特徴とする機能部ケースの設置構造。
【請求項３】
請求項１において、前記機能部ケースの側面に弾性スペーサを設けて、該弾性スペーサを前記側壁部の内面に弾性接触させ、該機能部ケースの側面と該側壁部との間の隙間を該弾性スペーサにより閉鎖するようになしたことを特徴とする機能部ケースの設置構造。
【請求項４】
請求項１〜３の何れかにおいて、前記機能部ケースの上面にて物品載置用の棚部を構成してあることを特徴とする機能部ケースの設置構造。
【発明の詳細な説明】
【技術分野】
【０００１】
この発明は手洗装置における機能部ケースの設置構造に関する。
【背景技術】
【０００２】
従来、機能部ケースから吐水口を突出させ、吐水口より手洗器のボウル部等の水受凹部に向けて吐水するようになした手洗装置が公知である。
例えば下記特許文献１に、この種の手洗装置として機能部ケースから石鹸液の吐出口，手洗水の吐水口，温風の吹出口を突出させ、それぞれの前方に手を差し出すとそれら吐出口，吐水口，吹出口に近接して配置した、対応する人体検知センサによる人体検知に基づいて自動的に石鹸液の吐出，手洗水の吐水，手乾燥用の温風の吹出しをなすようにした自動手洗装置が開示されている。
【０００３】
ところでこの機能部ケースを手洗器やキッチンの流し台等の水受器の上面に設置したとき、その機能部ケースが周辺部から突出した状態にあると、機能部ケース及びその周りの美観が損われてしまう。
従ってこのような機能部ケースを設置するに際しては、良好な美観を確保した状態でこれを設置できる構造が求められる。
以上吐水口からの吐水機能のほかに石鹸液の吐出機能，温風の吹出機能を備えた自動手洗装置について述べたが、石鹸液の吐出機能，温風の吹出機能を備えていない、単に吐水機能のみを備えた手洗装置の機能部ケースを設置するに際しても事情は同様である。
【０００４】
【特許文献１】特許第２６５６２８９号公報
【発明の開示】
【発明が解決しようとする課題】
【０００５】
本発明はこのような事情を背景とし、手洗装置の機能部ケースを水受器の上面に設置するに際し、良好な外観を保持することのできる機能部ケースの設置構造を提供することを目的としてなされたものである。
【課題を解決するための手段】
【０００６】
而して請求項１のものは、手洗器等水受器の上面の後端部に沿って左右方向に延びる立上り形状の後壁部を、また該上面の左右の側部に沿って前後方向に延びる立上り形状の一対の側壁部を設けて、それらにて囲まれた収納凹部を内側に形成し、手洗器の機能部ケースを該収納凹部に収納状態に設置するようになしたことを特徴とする。
【０００７】
請求項２のものは、請求項１において、前記機能部ケースの側面に左右方向のスリットを設けて、該スリットに板状スペーサを該左右方向に位置調節可能に挿込状態に設け、該板状スペーサの位置調節にて前記機能部ケースの側面と前記側壁部との間の隙間を該板状スペーサにより閉鎖するようになしたことを特徴とする。
【０００８】
請求項３のものは、請求項１において、前記機能部ケースの側面に弾性スペーサを設けて、該弾性スペーサを前記側壁部の内面に弾性接触させ、該機能部ケースの側面と該側壁部との間の隙間を該弾性スペーサにより閉鎖するようになしたことを特徴とする。
【０００９】
請求項４のものは、請求項１〜３の何れかにおいて、前記機能部ケースの上面にて物品載置用の棚部を構成してあることを特徴とする。
【発明の作用・効果】
【００１０】
以上のように本発明は、水受器の上面の後端部に沿って左右方向に延びる立上り形状の後壁部を、また左右の側部に沿って前後方向に延びる立上り形状の一対の側壁部を設けて、それらの内側に後壁部及び一対の側壁部にて囲まれた収納凹部を形成し、そこに手洗器の機能部ケースを収納状態に設置するようになしたもので、本発明によれば、機能部ケースが周辺部から突出した状態とならず、かかる機能部ケースが外観的に手洗器と一体化して、機能部ケースの設置部の美観を良好となすことができる。
また機能部ケースの後面と左右一対の側面とが、水受器に形成した後壁部及び一対の側壁部にて囲まれた状態となるため、かかる機能部ケースの後面，側面をそれらにて保護した状態とすることができる。
【００１１】
ところで、このように水受器の立上り形状の後壁部と一対の側壁部とで内側に収納凹部を形成して、そこに機能部ケースを収納状態に設置するようになした場合、特に水受器が陶器製である場合に水受器の側の収納凹部を高精度の寸法で形成することは難しく、従ってそこに機能部ケースを収納したとき、かかる機能部ケースと水受器側の一対の側壁部（詳しくは機能部ケースの側面と水受器側の側壁部）との間に通常隙間が生じてしまう。
而してこのような隙間が生じると、水受凹部からの跳ね水その他によってその隙間に水が浸入してしまい、その浸入水に基づいてその隙間の部分に黒ずんだような汚れが生じたり、或いはその隙間の部分に各種異物が入り込んで汚れを生じてしまう。
この場合その隙間が小さいことから、隙間部分の掃除が難しく、而して汚れが生じたままであると手洗装置を使用する際にその汚れが目に付いて機能部ケース周りの美観を損ねてしまう。
【００１２】
ここにおいて請求項２のものは、機能部ケースの側面に左右方向のスリットを設けて、そこに板状スペーサを左右方向に位置調節可能に挿込状態に設け、その板状スペーサの位置調節にて、機能部ケースの側面と水受器側の側壁部との間の隙間を板状スペーサにより閉鎖するようになしたもので、このようにしておけば、機能部ケースの側面と水受器側の側壁部との間に水や異物が入り込むのを抑制することができるとともに、例えその隙間に汚れが生じた場合であっても、これを板状スペーサにて隠蔽状態とすることができ、機能部ケース及びその周辺の美観を良好となすことができる。
【００１３】
一方請求項３は、機能部ケースの側面に弾性スペーサを設けて、その弾性スペーサを水受器側の側壁部の内面に弾性接触させ、機能部ケースの側面と水受器側の側壁部との間の隙間を弾性スペーサにより閉鎖するようになしたもので、この場合においても上記と同様の効果を奏することができる。
【００１４】
本発明においては、機能部ケースの上面にて物品載置用の棚部を構成しておくことができ（請求項４）、このようにしておけば手洗装置を使用する際の利便性を高めることができる。
【発明を実施するための最良の形態】
【００１５】
次に本発明を吐水機能のほか、石鹸液の吐出機能，手乾燥用の温風の吹出機能を備えてそれら吐水，石鹸液の吐出，温風の吹出しを自動的に行う自動手洗装置に適用した場合の実施形態を図面に基づいて以下に詳しく説明する。
図１において、１０は自動手洗装置（ここでは壁掛式）で、陶器製の手洗器１２と、その下部のキャビネット１４及び手洗器１２に装着された機能部ユニット１６とを有している。
機能部ユニット１６は機能部ケース（以下単にケースとする）１８を有しており、各種機能部がそこに内蔵されている。
ここでケース１８は、ケース本体としての下ケース１８Ａと、その上端の開口を閉鎖する上蓋１８Ｂとを有している。
【００１６】
手洗器１２の上面の後部には、図２及び図３に示しているようにその後端部に沿って左右方向に延びる立上り形状の後壁部２４と、左右の側部に沿って前後方向に延びる一対の立上り形状の側壁部２６が設けられ、その内側にそれら後壁部２４，一対の側壁部２６にて囲まれた収納凹部２８が形成されている。
そして図２に示しているように、その収納凹部２８に上記の機能部ユニット１６即ちケース１８が収納されている。
【００１７】
機能部ユニット１６は、その後面と側面とがそれぞれ後壁部２４と左右一対の側壁部２６とで囲われており、その前面が手洗器１２のボウル部（水受凹部）３２に向けて開放されている。
ここで収納凹部２８の底部は、機能部ユニット１６を支持する平坦な支持部３０とされている。
尚図２において、３４はボウル部３２に設けられた排水口である。
【００１８】
図１に示しているように、機能部ユニット１６におけるケース１８の前面壁２０には、石鹸液の吐出口４０と対応する人体検知センサ４６，手洗水の吐水口３８と対応する人体検知センサ４４、及び手乾燥用の温風を吹き出す吹出口３６と対応する人体検知サンサ４２が設けられている。
ここで吐出口４０，吐水口３８及び吹出口３６は、それぞれケース１８の前面壁２０から突出する形態で設けられている。
また吹出口３６は、吹出ノズル４８の先端に左右に細長いスリット状に形成されている。
【００１９】
この自動手洗装置１０では、石鹸液の吐出口４０の前方に手を差し出すと、人体検知センサ４６がこれを検知して吐出口４０から自動的にムース状の石鹸液（石鹸液に空気を混合して泡状としたもの）を吐出する。
また吐水口３８の前方に手を差し出すと、人体検知センサ４４がこれを検知して吐水口３８から自動的に手洗水としての温水を吐水する。
更に吹出口３６の前方に濡れた手を差し出すと、人体検知センサ４２がこれを検知して吹出口３６から自動的に温風を吹き出し、濡れた手を乾燥させる。
【００２０】
図１に示しているように、キャビネット１４の内部には排水管５０が設けられており、その上端がボウル部３２の排水口３４に接続されている。
ボウル部３２からの排水は、この排水管５０のトラップ部５２を経て外部に排出される。
【００２１】
キャビネット１４にはまた、その内部且つ下部に石鹸液タンク６０が設けられており、そこに所定量の石鹸液（水石鹸液）が貯溜されるようになっている。
この石鹸液タンク６０からは給液管６２が延び出しており、その給液管６２上に給液ポンプ６４が設けられている。
石鹸液タンク６０内の石鹸液は、この給液ポンプ６４により給液管６２を通じて上記の石鹸液の吐出口４０へと送られる。
７０は空気ポンプで、この空気ポンプ７０により空気が給気管６８を通じて上記石鹸液の吐出口４０に向けて送られる。
石鹸液はこの空気とともに混合されてムース状とされ、吐出口４０からボウル部３２に向けて吐出される。
【００２２】
尚、ケース１８の前面壁２０には石鹸液の補給を行うための補給口２２が設けられており、この補給口２２と石鹸液タンク６０とが補給管６６で連絡されている。
この補給口２２には引出容器８６が前後に出入れ可能に設けられており、石鹸液の補給は、この引出容器８６を引き出した状態でその上面の注入口に対して石鹸液を注入することにより行う。
【００２３】
キャビネット１４の内部にはまた湯水の混合部５４と、温水の供給遮断を行う電磁弁５６とが設けられており、その混合部５４に対し冷水と湯とを供給する配管が接続されている。
混合部５４に供給された冷水と湯とは、ここで所定比率に混合されて適温の混合水とされ、電磁弁５６の開弁により給水管５８を通じて吐水口３８へと送られて、そこからボウル部３２に向けて吐水される。
【００２４】
キャビネット１４の内部には更に、ケース７２の内部に送風機及びヒータを収容した乾燥機本体３５が設けられており、この乾燥機本体３５から送風管７４が上向きに延び出している。
この乾燥機本体３５のケース７２には吸気口７６が設けられており、この吸気口７６から吸入された空気がヒータの加熱作用で温風とされて、送風機による送風作用で送風管７４を通じて吹出口３６へと送られる。
【００２５】
図２に示しているように、吹出ノズル４８は吹出室ケース７８に一体的に設けられている。
吹出室ケース７８の内部には吹出室８０が形成されている。
この吹出室８０は送風路の一部を成しており、乾燥機本体３５から送り出された温風が、送風管７４内部を上向きに流れて送風路の一部をなす吹出室８０内に流入し、吹出口３６から外部に勢い良く吹き出される。
【００２６】
尚、図３に示しているように機能部ユニット１６の内部、即ちケース１８の内部には、自動手洗装置１０の動作制御をなす制御基盤１１４と、電源電圧を変圧する電源トランス１１６とが設けられている。これらは上蓋１８Ｂの下面に吊下状態に固定されている。
【００２７】
図４及び図５に示しているように、ケース１８の底部１０４には図中左右方向の長穴形状の取付穴１０６が設けられている。
一方陶器製の手洗器１２における支持部３０には、これとは直角をなす前後方向（図４中上下方向）に長穴形状をなす取付穴１０８が設けられており、それら取付穴１０６，１０８においてケース１８の底部１０４が、図５に示しているようにボルト１１０とその先端部に螺合された挟持板１１２により、それらボルト１１０の頭部及び挟持板１１２が底部１０４と支持部３０とを上下両側から挟持する状態に、支持部３０に取付固定されている。
ここで挟持板１１２には雌ねじ孔１１３が設けられていて、そこにボルト１１０の先端が螺合されている。
本実施形態では、これら長穴形状の取付穴１０６及び１０８によって、ケース１８を手洗器１２に対し前後及び左右に位置調節して取付固定することができる。
【００２８】
尚これらボルト１１０及び挟持板１１２にてケース１８の底部１０４を支持部３０に固定するには、ケース１８の底部１０４の上側から挟持板１１２を先ず底部１０４の長穴形状の取付穴１０６に通し、続いて長手形状の挟持板１１２の向きを９０°回転させて、支持部３０の長穴形状の取付穴１０８に通し、更にその後挟持板１１２を９０°回転させた上でボルト１１０を下向きに締め込んで行く。これにより底部１０４を支持部３０に固定することができる。
【００２９】
このケース１８の底部１０４及び支持部３０にはまた、図３及び図４中左右方向に適宜間隔で、図２の吹出室ケース７８に一体に設けられた下向きの接続管９６を貫通させる貫通穴１２０及び１２１（図３参照），給水管５８及び給液管６２を貫通させる貫通穴１２２及び１２３，図１の引出容器８６を前後に出入れ可能に保持する引出ケース８８に一体に設けられた接続管９４を貫通させる貫通穴１２４及び１２５が設けられている。
ここで吹出室ケース７８に一体に設けられた接続管９６には、図２に示すように送風管７４の上端部が嵌合状態に接続されている。
【００３０】
ケース１８の底部１０４の下面と取付基体としての支持部３０の上面（取付面）との間には、上記各貫通穴１２０及び１２１，１２２及び１２３，１２４及び１２５、更に取付穴１０６，１０８を全体的に取り囲むようにしてシール部材１２８が介装されており、このシール部材１２８によって、底部１０４と支持部３０との間が水密にシールされている。
【００３１】
そして底部１０４には、このシール部材１２８によるシール部の外側においてこれを板厚方向、即ち上下方向に貫通する水抜穴１３０が図４中左右方向の複数箇所（ここでは３箇所）に設けられている。
また図４及び図５に示す底部１０４の上面は、これら水抜穴１３０に向って斜め下向きに傾斜する傾斜面とされている。
ここで傾斜面は、ケース１８内の水を水抜穴１３０に向って流下させるもので、この傾斜面に沿って流れた水は、水抜穴１３０からシール部材１２８の介装によって底部１０４と支持部３０との間に形成された隙間に落下し、続いて支持部３０の上面即ち取付面に沿ってボウル部３２に流れ落ちる。
【００３２】
図６に示しているように、ケース１８詳しくは下ケース１８Ａの側面には、左右方向のスリット１４０が設けられていて、そこに板状スペーサ１４２が左右方向に位置調節可能に挿し込まれている。
板状スペーサ１４２は、前面側の金属プレート１４４と、後面側のゴム板１４６とから成っている。
このゴム板１４６は弾性摩擦部材としてのもので、板状スペーサ１４２をスリット１４０内部に挿入した状態で、このゴム板１４６がスリット１４０の内面に弾性変形状態で摩擦接触し、その摩擦力に基づいて、板状スペーサ１４２を調節位置に位置保持する働きをなす。
【００３３】
尚、金属プレート１４４は図６中右端が後方への折曲り部１４８とされており、この折曲り部１４８がゴム板１４６の図中右端面を覆い隠している。
また板状スペーサ１４２の側壁部２６側の面は、図６（Ａ）に示しているように側壁部２６の内面の傾斜形状に対応した傾斜形状をなしている。
【００３４】
陶器製の手洗器１２の場合製造時の誤差が大きく、上記収納凹部２８の寸法を、ケース１８の寸法に正しく合せるといったことは困難であり、そこで寸法の誤差があった場合にもケース１８を収納できるように、収納凹部２８の寸法を若干大きく設定しておくことになる。
この場合、収納凹部２８とケース１８との間に左右方向の隙間Ｓ（図７（Ｂ）参照）が生じてしまう。
これに対して本実施形態では、板状スペーサ１４２を左右方向に位置調節することで、即ち板状スペーサ１４２をスリット１４０から図中左右方向にスライドさせて、側壁部２６側の端面を側壁部２６の内面に当接させる状態に左右方向の位置を調節する。
この状態においてケース１８の側面と側壁部２６の内面との間に生じた隙間Ｓが、この板状スペーサ１４２にて閉鎖された状態となる。
【００３５】
本実施形態ではまた、図１及び図７（Ａ）に示しているように上蓋１８Ｂの左右方向寸法が、下ケース１８Ａの左右方向寸法よりも大きく、この上蓋１８Ｂが下ケース１８Ａと側壁部２６との間に生じる隙間Ｓを上面から隠蔽している。
またこの上蓋１８Ｂの上面は平坦面とされており、かかる上蓋１８Ｂの上面が、その上に物品を載置可能な棚部として構成されている。
【００３６】
以上のような本実施形態によれば、機能部ケース１８が周辺部から突出した状態とならず、かかる機能部ケース１８が外観的に手洗器１２と一体化して、機能部ケース１８の設置部の美観が良好となる。
また機能部ケース１８の後面と左右一対の側面とが、手洗器１２の後壁部２４及び一対の側壁部２６にて囲まれた状態となるため、かかる機能部ケース１８の後面，側面をそれらにて保護した状態とすることができる。
【００３７】
また本実施形態では、機能部ケース１８の側面に左右方向のスリット１４０を設けて、そこに板状スペーサ１４２を左右方向に位置調節可能に挿込状態に設け、その板状スペーサ１４２の位置調節にて、機能部ケース１８の側面と手洗器１２側の側壁部２６との間の隙間Ｓを、その板状スペーサ１４２により閉鎖するようになしてあるため、機能部ケース１８の側面と手洗器１２の側壁部２６との間に水や異物が入り込むのを抑制することができるとともに、例えその隙間Ｓに汚れが生じた場合であっても、これを板状スペーサ１４２にて隠蔽状態とすることができ、機能部ケース１８及びその周辺の美観を良好となすことができる。
【００３８】
更に本実施形態においては、機能部ケース１８の上面にて物品載置用の棚部を構成してあるため、自動手洗装置１０を使用する際の利便性を高めることができる。
【００３９】
図８は本発明の他の実施形態を示したもので、この実施形態は上記板状スペーサ１４２に代えて、弾性スペーサ１５０をケース１８、詳しくは下ケース１８Ａの側面に設けたものである。
ここで弾性スペーサ１５０は、固定部１５２と弾性片１５４とを有しており、固定部１５２において下ケース１８Ａの側面に接着等の手段にて固定されている。
この弾性スペーサ１５０は、弾性片１５４が側壁部２６の内面に弾性接触して隙間Ｓを閉鎖し、正面視においてこれを隠蔽状態とする。
この実施形態においても上記と同様の効果を奏することができる。
【００４０】
尚これらの実施形態において、上蓋１８Ｂは図９に示しているように樹脂製の本体１８Ｂ-１と、上蓋１８Ｂの上面即ち意匠面を形成する金属プレート１８Ｂ-２とを組み付けて構成してある。
従ってこれらの実施形態において、樹脂製の本体１８Ｂ-１を共通に用いつつ、金属プレート１８Ｂ-２を変えるだけで、上蓋１８Ｂの色或いはその他要素から成る意匠を様々に変化させることが可能である。
【００４１】
これらの実施形態において、上蓋１８Ｂの上面は排水性を高めるためにボウル部３２側に向けて傾斜させておくことができ、更にはまたその上面を撥水性とするなどして水はけを高めておくことができる。
その水はけを高める手段として、図１０に示しているように上蓋１８Ｂの上面に連続した排水溝１５６を様々なパターンで形成しておき、水の表面張力でその排水溝１５６を通じて上蓋１８Ｂの上面の水をボウル部３２側へと排水するようになすことができる。
【００４２】
以上本発明の実施形態を詳述したがこれらはあくまで一例示である。
例えば本発明は単に吐水機能のみを有する手洗装置に適用することも可能であるなど、その趣旨を逸脱しない範囲において種々変更を加えた形態で構成可能である。
【図面の簡単な説明】
【００４３】
【図１】本発明の一適用対象の自動手洗装置の全体を示す正面図である。
【図２】図１の側断面図である。
【図３】本発明の一実施形態の図１の機能部ケースの設置構造を示す図である。
【図４】図１の上面図（上蓋を除いた状態）である。
【図５】機能部ケースの手洗器への取付構造を示す図である。
【図６】同実施形態の要部を示す図である。
【図７】同実施形態の作用説明図である。
【図８】本発明の他の実施形態を示す図である。
【図９】図１の機能部ケースの上蓋の構成図である。
【図１０】図９の上蓋の変形例を示す図である。
【符号の説明】
【００４４】
１０  自動手洗装置
１２  手洗器
１８  機能部ケース
２４  後壁部
２６  側壁部
２８  収納凹部
１４０  スリット
１４２  板状スペーサ
１５０  弾性スペーサ
Ｓ  隙間
【図１】
2006255230.tif 000003
【図２】
2006255230.tif 000004
【図３】
2006255230.tif 000005
【図４】
2006255230.tif 000006
【図５】
2006255230.tif 000007
【図６】
2006255230.tif 000008
【図７】
2006255230.tif 000009
【図８】
2006255230.tif 000010
【図９】
2006255230.tif 000011
【図１０】
2006255230.tif 000012